(57)【要約】【課題】 従来の無線端末の制御方法及び無線端末では、使用者の応答不能時に受信した相手を容易に認識して発呼できることが望まれており、不在時など、応答不能時の相手を容易に認識して発呼できる無線端末の送信方法及び無線端末を提供する。【解決手段】 予め発信者番号とそれに対応する名前を発信者名記憶装置１３に複数記憶し、応答不能時に受信機１０で受信した発信者番号を発信者データ記憶装置１５に記憶しておき、キーボード１８からの指示により応答不能時に記憶された発信者番号が読み出されると、選択手段１４が各々の発信者番号に対応する名前を検索し、対応する名前があれば名前を表示装置１５に出力し、対応する名前がなければ当該発信者番号を表示装置１５に出力し、話したい相手が選択されると、送信機１９が選択された名前に対応する発信者番号又は選択された発信者番号を用いて発呼する無線端末の送信方法及び無線端末である。【選択図】図１
2006109506.tif 000002
【特許請求の範囲】
【請求項１】
予め発信者番号と当該発信者番号に対応する名前とを発信者名記憶装置に複数記憶しておき、
受信した発信者番号を発信者番号記憶装置に複数記憶し、
受信して前記発信者番号記憶装置に記憶された発信者番号を表示するための指示が入力されると、
発信者番号記憶装置に記憶された複数の発信者番号が一時記憶装置に出力され、前記一時記憶装置に記憶された発信者番号が前記発信者名記憶装置に記憶されているかを検索し、当該発信者番号に対応する名前が記憶されていれば名前を表示器に表示し、対応する名前が記憶されていなければ当該発信者番号を表示器に表示することにより、受信した発信者番号が前記一時記憶装置に記憶されて表示器へ当該発信者番号に対応する名前又は発信者番号の表示が為され、使用者によって受信した発信者番号の発信者の確認することを特徴とする無線端末の送信方法。
【請求項２】
予め発信者番号と当該発信者番号に対応する名前とを複数記憶しておく発信者名記憶装置と、
発信者番号を受信する受信手段と、
発信者番号又は名前を表示可能な表示手段と、
指示を入力する入力手段と、
受信した発信者番号を複数記憶可能な発信者番号記憶装置と、
前記入力手段からの指示により発信者番号記憶装置に記憶された複数の発信者番号が一時記憶装置に入力され、前記一時記憶装置に記憶された発信者番号が前記発信者名記憶装置に記憶されているかを検索し、当該発信者番号に対応する名前が記憶されていれば名前を表示手段に出力し、対応する名前が記憶されていなければ当該発信者番号を表示手段に出力表示する選択手段と、
受信した発信者番号が前記一時記憶装置に記憶されて表示手段へ当該発信者番号に対応する名前又は発信者番号の表示が為されることを特徴とする無線端末。
【発明の詳細な説明】
【技術分野】
【０００１】
(発明の属する技術分野) 本発明は、携帯電話、自動車電話等の無線端末の制御方法及び無線端末に係り、特に応答不能時に受信した相手を容易に認識して発呼できる無線端末の送信方法及び無線端末に関する。
【背景技術】
【０００２】
（従来の技術）無線端末には、携帯電話、自動車電話、列車電話、文字表示型携帯呼出受信機、テレ・ターミナル、ＭＣＡ無線等の無線を利用した無線通信用の端末がある。
【０００３】
例として、自動車電話について説明すると、自動車電話は、車に搭載した電話機を利用するサービスであり、移動する自動車電話相互の通話を可能とするものである。但し、自動車電話のネットワークでは、通話の相手が同じでも呼接続の経路は常に変化する為、電話機の位置が固定している一般加入者用電話とは違って物理的な電話番号だけでは意味をなさない。そのため、移動する電話機の位置情報をネットワーク側で中央局に登録するようになっており、中央局のデータベースで電話機の登録番号（電話番号）と位置情報とを対応させたネットワークにより、自動車電話での通話を可能にしている。
【０００４】
（発明が解決しようとする課題）しかしながら、上記従来の無線端末の制御方法及び無線端末では、一般に着信時に誰から発信されたのかを確認できないため、話をしたくない相手であっても通話を行わなければ相手を確認することができず、会議又は重要な仕事等の忙しい時に、重要と思われない人との通話をすることになって、会議等が中断されるという問題点があった。
【０００５】
そこで、上記問題点を解決するために、着信時に送信されてきた発信者名又は発信者番号を表示器に表示することで相手（発信者）が確認でき、更に不在中に着信した発信者番号データを無線端末内部で記憶して、後で表示器で使用者が確認して不在中に着信した発信者に簡易に発呼することができる無線端末及びその制御方式が提案されている。
【０００６】
次に、上記無線端末の構成について無線端末の構成ブロック図である図３を使って説明する。図３に示すように、無線端末は、発信者番号データを受信する受信機１０と、発信者番号データを一時的に記憶するデータ一時記憶装置１１と、発信者番号データを発信者番号として表示データに変換する解読装置１２と、複数の発信者番号及びそれぞれに対応する発信者名が記憶されている発信者名記憶装置１３と、発信者番号データに対応する発信者番号を発信者名記憶装置１３から選択する選択手段１４と、複数の発信者名及び発信者番号をキー入力により登録するためのキーボード１８と、使用者が不在の場合に受信した発信者番号データを着呼順に記憶する発信者番号データ記憶装置１５と、キーボード１８からのキー入力により発信者番号データを発信者番号データ記憶装置１５から選択する選択手段１６と、発信者名又は発信者番号が表示される表示器１７と、発呼データを送信する送信機１９と、それぞれの端子間での接続を行う複数のスイッチ（ＳＷ）１、ＳＷ２、ＳＷ３、ＳＷ４とから構成されている。尚、各ＳＷは、以下に示す制御方式に従って制御されるものである。
【０００７】
次に、無線端末における制御方式について無線端末の制御方式のフローチャート図である図４を使って説明する。図４に示すように、発信者番号データが受信機１０で受信されると（１００）、ＳＷ１が端子ａを端子ｂに接続し、該発信者番号データはデータ一時記憶装置１１へ出力されて一時的に記憶される（１０１）。次に、その発信者番号データは、ＳＷ２が最初は端子ｅを端子ｇに接続させることにより、選択手段１４に入力される（１０２）。
【０００８】
そして、選択手段１４は発信者名記憶装置１３に予め使用者等が登録した複数の発信者名及び発信者番号の中から発信者番号データに対応する発信者番号を検索し（１０３）、その発信者番号が存在するならば、該発信者番号に対応する発信者名を表示データの形式でＳＷ３の端子ｊに出力し、ＳＷ３の端子ｊと端子ｈとの接続により、更に表示器１７へ出力して表示するようになっている（１０４）。
【０００９】
また、発信者番号データに対応する発信者番号が存在しない場合は、ＳＷ２が端子ｅを端子ｆに接続することにより、データ一時記憶装置１１で一時記憶されている発信者番号データを解読装置１２へ出力させる（１０５）。解読装置１２では発信者番号データを発信者番号として対応する表示データに変換し（１０６）、ＳＷ３の端子ｉに出力され、ＳＷ３の端子ｉと端子ｈとの接続により、表示器１７へ出力して発信者番号を表示するようになっている（１０７）。
【００１０】
更に、使用者が不在中に、発信者番号データが受信機１０で受信されると、ＳＷ１の端子ａと端子ｄとの接続により、該発信者番号データが選択手段１６を介して、着信順に発信者番号データ記憶装置１５で記憶されるようになっている。そして、使用者が戻ってから、不在中に着信した発信者番号データを発信者名又は発信者番号として表示器１７に表示させるキー入力を行うと、ＳＷ４の端子ｋが端子ｍに接続され、発信者番号データは選択手段１６により発信者データ記憶装置１５から読み出されて表示器１７へ表示される。
【００１１】
そして、表示された発信者番号を選択してキーボード１８からキー入力を行うと、ＳＷ４の端子ｋが端子ｍに接続され、選択手段１６へ指示信号が出力され、選択手段１６により対応する発信者番号データが発信者データ記憶装置１５から選択され、ＳＷ１の端子ｄと端子ｃが接続されて送信機１９から該発信者番号データが送信されて不在中に着信した相手に発呼するようになっている。尚、キーボード１８からのキー入力による発信者名記憶装置１３への発信者番号と対応する発信者名の登録は、ＳＷ４の端子ｋが端子ｌに接続されて行われるようになっている。
【００１２】
しかしながら、上記の無線端末の制御方法及び無線端末では、使用者が応答不能時に着信した相手を容易に認識して発呼することが望まれていた。
【００１３】
本発明は上記実情に鑑みて為されたもので、使用者が応答不能時に着信した発信者番号データを無線端末内部で記憶して、後で表示器で使用者が確認して応答不能時に着信した発信者に簡易に発呼することができる無線端末の送信方法及び無線端末を提供することを目的とする。
【００１４】
（課題を解決するための手段）上記従来例の問題点を解決するための本発明は、無線端末の送信方法において、予め発信者番号と当該発信者番号に対応する名前とを複数記憶しておき、応答不能時に受信した発信者番号のみを複数記憶しておいて、応答不能時に記憶された複数の発信者番号の読み出し時に、それぞれの発信者番号に対応する名前を検索し、対応する名前があれば当該名前を表示し、対応する名前がなければ当該発信者番号を表示して、応答不能時の複数の名前又は発信者番号の中から話をしたい相手が選択された場合に、選択された名前に対応する発信者番号又は選択された発信者番号を用いて発呼することを特徴としており、使用者の応答不能時でも着信順に記憶された発信者番号を特定の指示により読み出して名前又は発信者番号が表示されるため、応答不能時の相手を容易に認識でき、表示された名前又は発信者番号を発呼目的で選択すると、表示された名前に対応する発信者番号又は表示された発信者番号を用いて発呼するため、応答不能時の相手を容易に発呼できる。
【００１５】
また、本発明は、予め発信者番号と当該発信者番号に対応する名前とを複数記憶しておく第１の記憶手段と、発信者番号を受信する受信手段と、発信者番号又は名前を表示する表示手段と、使用者が指示を入力する入力手段と、応答不能時に受信した発信者番号を複数記憶する第２の記憶手段と、入力手段からの指示により応答不能時に記憶された複数の発信者番号が読み出された時に、それぞれの発信者番号に対応する名前を検索し、対応する名前があれば名前を表示手段に出力し、対応する名前がなければ発信者番号を表示手段に出力する選択手段と、表示されている応答不能時の複数の名前又は発信者番号の中から話をしたい相手が選択された場合に、選択された名前に対応する発信者番号又は選択された発信者番号を用いて発呼する送信手段とを有する無線端末としており、使用者の応答不能時に着信順に第２の記憶手段に記憶しておき、記憶された発信者番号が入力手段からの指示により読み出されると、名前又は発信者番号が表示手段に表示されるため、応答不能時の相手を容易に認識でき、更に表示された名前又は発信者番号を発呼目的で入力手段から選択すると、表示された名前に対応する発信者番号又は表示された発信者番号を用いて送信手段が発呼するため、応答不能時の相手を容易に発呼できる。
【発明の開示】
【００１６】
（発明の実施の形態）本発明の実施の形態について図面を参照しながら説明する。図１は、本発明の実施の形態に係る無線端末の構成ブロック図である。尚、本実施例の無線端末は図３に示した無線端末と略同様の構成となっているので、同様の構成をとる部分については同一の符号を付して説明する。
【００１７】
本発明の実施の形態に係る無線端末は、発信者番号データを受信する受信機１０と、発信者番号データを一時的に記憶するデータ一時記憶装置１１と、発信者番号データを発信者番号として表示データに変換する解読装置１２と、複数の発信者番号及びそれぞれに対応する発信者名が記憶されている発信者名記憶装置（第１の記憶装置）１３と、発信者番号データに対応する発信者番号を発信者名記憶装置１３から選択する選択手段（第１の選択手段）１４と、複数の発信者名及び発信者番号をキー入力により登録するためのキーボード１８と、使用者が不在の場合に受信した発信者番号データを着呼順に記憶する発信者番号データ記憶装置（第２の記憶装置）１５と、キーボード１８からのキー入力により発信者番号データを発信者番号データ記憶装置１５から選択する選択手段（第２の選択手段）１６と、発信者名又は発信者番号が表示される表示器１７と、発呼データを送信する送信機１９と、２種類の着信音に対応する信号を発生する着信音発生器２０と、着信音を鳴音する警音器２１と、それぞれの端子間での接続を行う複数のスイッチ（ＳＷ）１、ＳＷ２、ＳＷ３、ＳＷ４、ＳＷ５とから構成されている。尚、これらＳＷは、後述する図２の制御方式に従って制御されるものである。
【００１８】
次に、本発明の実施の形態に係る無線端末の各構成部分について説明する。ＳＷ１は、端子ａを端子ｂ，ｄのいづれかに接続し、また端子ｄを端子ｂ，ｃのいずれかに接続するようになっている。ＳＷ１において、端子ａと端子ｂとが接続されると、発信者番号データが受信機１０からデータ一時記憶装置１１へ出力される。そして、端子ａと端子ｄとが接続されると、発信者番号データが受信機１０から選択手段１６を介して発信者番号データ記憶装置１５へ出力される。また、端子ｄと端子ｂとが接続されると、発信者番号データ記憶装置１５から発信者番号データが選択手段１６によって取り出され、データ一時記憶装置１１へ出力されるようになっている。更に、端子ｄと端子ｃとが接続されると発信者番号データが選択手段１６によって選択されて送信機１９へ出力されるようになっている。
【００１９】
ＳＷ２は、端子ｅを端子ｆ又は端子ｇに接続するものであり、ＳＷ２が端子ｅと端子ｆとを接続すると、発信者番号データがデータ一時記憶装置１１から解読装置１２へ出力されるようになっている。また、ＳＷ２が端子ｅと端子ｇとを接続すると、発信者番号データがデータ一時記憶装置１１から選択手段１４に出力されるようになっている。
【００２０】
ＳＷ３は、端子ｈを端子ｉ又は端子ｊに接続するものであり、ＳＷ３が端子ｈと端子ｉとを接続すると、発信者番号が解読装置１２から表示器１７へ出力されるようになっている。また、ＳＷ３が端子ｈと端子ｊとを接続すると、発信者名記憶装置１３の発信者名が表示器１７へ出力されるようになっている。
【００２１】
ＳＷ４は、端子ｋを端子ｌ又は端子ｍに接続するものであり、ＳＷ４が端子ｋと端子ｌとを接続すると、キーボード１８でのキー入力によって指示信号が選択手段１４へ出力されるようになっている。また、ＳＷ４が端子ｋと端子ｍとを接続すると、キーボード１８でのキー入力によって指示信号が選択手段１６へ出力されるようになっている。
【００２２】
ＳＷ５は、ＳＷ３による端子ｈの端子ｉ又は端子ｊとの接続に対応して端子ｎを端子ｐ又は端子ｏに接続するもので、特にＳＷ５は、ＳＷ３が端子ｈと端子ｊとを接続する時に、端子ｎと端子ｏとを接続し、ＳＷ３が端子ｈと端子ｉとを接続する時に、端子ｎと端子ｐを接続するようになっている。
【００２３】
そして、ＳＷ５は、端子ｎを端子ｏ又は端子ｐに接続すると、着信音発生器２０から着信音Ａ又は着信音Ｂを発生させる信号を警音器２１へ送出するようになっている。但し、端子ｏ又は端子ｐに出力される信号は異なる音（着信音）を発生させるものであり、特に、端子ｏに出力される信号は重要な発信者からの発信者番号データを受信した場合の着信音Ａを発生する信号であり、端子ｐに出力される信号は重要でない発信者からの発信者番号データを受信した場合の着信音Ｂを発生する信号である。尚、重要な発信者とは、その発信者番号及び発信者名が発信者名記憶装置１３に予め登録されている発信者のことであり、重要でない発信者とは発信者名記憶装置１３に予め登録されていない発信者のことである。
【００２４】
ここで、着信音Ａ又は着信音Ｂは、音の高低、音の大小、音色等の相違による２種類の音で表現され、重要又は非重要の場合を区別できるものである。
【００２５】
また、解読装置１２は、データ一時記憶装置１１に記憶されている発信者番号データを対応する発信者番号とし、この発信者番号を表示データの形式に変換するものである。
【００２６】
発信者名記憶装置１３は、キーボード１８からのキー入力によりＳＷ４の端子ｋと端子ｌが接続されて、予め複数の発信者番号とそれらに対応する発信者名とが選択手段１４を介して登録されている。尚、登録されている発信者名は表示データの形式となっており、この発信者名の表示データが出力されるようになっている。
【００２７】
選択手段１４は、発信者番号データに対応する発信者番号を発信者名記憶装置１３から検索し、検索された発信者番号に対応した発信者名をＳＷ３の端子ｊに出力するものである。
【００２８】
発信者番号データ記憶装置１５は、使用者が不在の時に受信した発信者番号データを着信順に記憶するものである。
【００２９】
選択手段１６は、使用者が不在中に発信者番号データ記憶装置１５に記憶された複数の発信者番号データを表示器１７へ表示させるために、キーボード１８からのキー入力により、ＳＷ４の端子ｋが端子ｍに接続され、キーボード１８からの指示信号で複数の発信者番号データをＳＷ１の端子ｄへ出力するものであり、また、表示器１７に表示された複数の発信者番号データから発呼する必要がある発信者番号データを使用者が選択してキーボード１８からのキー入力を行うと、ＳＷ４の端子ｋが端子ｍに接続され、目的とする発信者番号データを検索してＳＷ１を介して送信機１９から発呼データとして送出するものである。
【００３０】
着信音発生器２０は、２種類の着信音Ａ、Ｂに対応する信号を発生して、それぞれ端子ｏ、端子ｐへ出力するものである。尚、ＳＷ５による端子ｎと端子ｏとの接続は、ＳＷ３による端子ｈと端子ｊとの接続に連動して為されるものである。従って、着信音Ａは、予め発信者名記憶装置１３に発信者名が登録されている発信者の発信者番号データを受信機１０で受信したことを指示するものとなっている。また、ＳＷ５による端子ｎと端子ｐとの接続は、ＳＷ３による端子ｈと端子ｉとの接続に連動して為されるのものである。従って、着信音Ｂは、予め発信者名記憶装置１３に発信者名が登録されていない発信者の発信者番号データを受信機１０で受信した場合を指示するものとなっている。つまり、着信音Ａは今話す必要がある相手から受信があったことを意味し、着信音Ｂはそれ以外の相手から受信があったことを意味している。
【００３１】
警音器２１は、ＳＷ５による端子ｎと端子ｏ又は端子ｐとの接続を介して着信音Ａ又は着信音Ｂに対応する信号を受信して、着信音Ａ又は着信音Ｂを鳴音するものである。そして、着信音発生器２０、警音器２１及びＳＷ５で構成される部分が着信音発生装置２２となっている。
【００３２】
次に、本発明の実施の形態に係る無線端末における制御方式について、図１及び使用者が使用中の無線端末の制御方式のフローチャート図である図２を使って説明する。図２に示すように、発信者番号データが受信機１０で受信されると（２００）、ＳＷ１が端子ａを端子ｂに接続し、該発信者番号データはデータ一時記憶装置１１へ出力されて一時的に記憶される（２０１）。次に、その発信者番号データは、ＳＷ２が最初は端子ｅを端子ｇに接続し、選択手段１４に入力される（２０２）。
【００３３】
そして、選択手段１４は発信者名記憶装置１３に予め使用者等が登録した複数の発信者名及び発信者番号の中から発信者番号データに対応する発信者番号を検索し（２０３）、その発信者番号が存在するならば、該発信者番号に対応する発信者名を表示データの形式でＳＷ３の端子ｊに出力し、ＳＷ３の端子ｊと端子ｈとの接続により、更に表示器１７へ出力して表示するようになっている（２０４）。この時、ＳＷ３の動作に連動して、ＳＷ５の端子ｎと端子ｏとが接続して、着信音発生器２０から着信音Ａに対応する信号がＳＷ５を介して警音器２１へ出力され、着信音Ａを警音器２１で鳴音するようになっている（２０８）。
【００３４】
一方、発信者番号データに対応する発信者番号が発信者名記憶装置１３に存在しない場合は、ＳＷ２が端子ｅを端子ｆに接続して、データ一時記憶装置１１で一時記憶されている発信者番号データを解読装置１２へ出力させる（２０５）。解読装置１２では発信者番号データを発信者番号として対応する表示データに変換し（２０６）、該表示データがＳＷ３の端子ｉに出力され、ＳＷ３の端子ｉと端子ｈとの接続により、表示器１７へ出力して発信者番号を表示するようになっている（２０７）。この時、ＳＷ３の動作に連動して、ＳＷ５の端子ｎと端子ｐとが接続して、着信音発生器２０から着信音Ｂに対応する信号がＳＷ５を介して警音器２１へ出力され、着信音Ｂを警音器２１で鳴音するようになっている（２０９）。
【００３５】
このようにして、発信者名記憶装置１３に予め登録されている発信者からの発信者番号データを受信した場合には、警音器２１が着信音Ａを鳴音するので、重要な発信者であることが認識でき、また、それ以外の発信者からの発信者番号データを受信した場合には、警音器２１が着信音Ｂを鳴音するので、重要な発信者でないことが認識できるので、表示器１７を見ないで重要な発信者かどうかを判断できる。
【００３６】
本発明の実施の形態に係る無線端末の制御方法及び無線端末によれば、着信時に送られて来た発信者番号データを、予め使用者が発信者名記憶装置１３に登録した発信者番号と比較し、発信者番号に一致する番号があれば、その発信者番号に対応する発信者名を選択手段１４で選択出力し、表示器１７に表示するとともに警音器２１で着信音Ａを鳴音し、一致する番号がなければ発信者番号を解読装置１２で表示データに変換し、表示器１７に表示するとともに警音器２１で着信音Ｂを鳴音するので、表示器１７で発信者を確認して話をしたい相手を選択することができ、更に、無線端末が鞄等に入っていて直ぐに取り出せず、表示器１７を見られない時でも、警音器２１で鳴音する着信音Ａ又は着信音Ｂの着信音で、発信者が今話す必要がある相手であるかどうかを容易に認識することができ、多忙な時に視覚及び聴覚を使った単純な方法で発信者を認識できる効果がある。また、本発明の実施の形態に係る無線端末及びその制御方法によれば、使用者の不在等の応答不能時には発信者番号データ記憶装置１５に発信者番号データが着信順に記憶され、キーボード１８からの発信者名等の表示指示により選択手段１６が発信者番号データ記憶装置１５から発信者番号データを読み出してデータ一時記憶装置１１に出力し、その後は、応答可能時と同様に発信者名記憶装置１３を用いて発信者名若しくは発信者番号を表示器１７に表示するものであるから、応答不能時の相手をその後容易に認識できる効果がある。
【００３７】
（発明の効果）本発明によれば、予め発信者番号と当該発信者番号に対応する名前とを複数記憶しておき、応答不能時に受信した発信者番号のみを複数記憶しておいて、応答不能時に記憶された複数の発信者番号の読み出し時に、それぞれの発信者番号に対応する名前を検索し、対応する名前があれば当該名前を表示し、対応する名前がなければ当該発信者番号を表示して、応答不能時の複数の名前又は発信者番号の中から話をしたい相手が選択された場合に、選択された名前に対応する発信者番号又は選択された発信者番号を用いて発呼する無線端末の送信方法としているので、使用者の応答不能時でも着信順に記憶された発信者番号を特定の指示により読み出して名前又は発信者番号が表示されるため、応答不能時の相手を容易に認識でき、更に表示された名前又は発信者番号を発呼目的で選択すると、表示された名前に対応する発信者番号又は表示された発信者番号を用いて発呼するため、応答不能時の相手を容易に発呼できる効果がある。
【００３８】
請求項２記載の発明によれば、予め発信者番号と当該発信者番号に対応する名前とを複数記憶しておく第１の記憶手段と、発信者番号を受信する受信手段と、発信者番号又は名前を表示する表示手段と、使用者が指示を入力する入力手段と、応答不能時に受信した発信者番号を複数記憶する第２の記憶手段と、入力手段からの指示により応答不能時に記憶された複数の発信者番号が読み出された時に、それぞれの発信者番号に対応する名前を検索し、対応する名前があれば名前を表示手段に出力し、対応する名前がなければ発信者番号を表示手段に出力する選択手段と、表示されている応答不能時の複数の名前又は発信者番号の中から話をしたい相手が選択された場合に、選択された名前に対応する発信者番号又は選択された発信者番号を用いて発呼する送信手段とを有する無線端末としているので、使用者の応答不能時に着信順に第２の記憶手段に記憶しておき、記憶された発信者番号が入力手段からの指示により読み出されると、名前又は発信者番号が表示手段に表示されるため、応答不能時の相手を容易に認識でき、更に表示された名前又は発信者番号を発呼目的で入力手段から選択すると、表示された名前に対応する発信者番号又は表示された発信者番号を用いて送信手段が発呼するため、応答不能時の相手を容易に発呼できる効果がある。
【図面の簡単な説明】
【００３９】
【図１】本発明の実施の形態に係る無線端末の構成ブロック図である。
【図２】本発明の実施の形態に係る無線端末における使用者が使用中の無線端末の制御方法のフローチャート図である。
【図３】無線端末の構成ブロック図である。
【図４】無線端末の制御方法のフローチャート図である。
【符号の説明】
【００４０】
１０…受信機、 １１…データ一時記憶装置、 １２…解読装置、 １３…発信者名記憶装置、 １４…選択手段、 １５…発信者データ記憶装置、 １６…選択手段、 １７…表示器、 １８…キーボード、 １９…送信機、 ＳＷ…スイッチ、 ２０…着信音発生器、 ２１…警音器、 ２２…着信音発生装置、ａ，ｂ，ｃ，ｄ，ｅ，ｆ，ｇ，ｈ，ｉ，ｊ，ｋ，ｌ，ｍ，ｎ，ｏ，ｐ…端子
【図１】
2006109506.tif 000003
【図２】
2006109506.tif 000004
【図３】
2006109506.tif 000005
【図４】
2006109506.tif 000006
【手続補正書】
【提出日】平成17年12月8日(2005.12.8)
【手続補正２】
【補正対象書類名】特許請求の範囲
【補正対象項目名】全文
【補正方法】変更
【補正の内容】
【特許請求の範囲】
【請求項１】
予め発信者番号と当該発信者番号に対応する名前とを発信者名記憶装置に複数記憶しておき、
発信者番号を受信した場合には発信者番号を一時記憶装置に一時的に記憶し、一時記憶装置に記憶された発信者番号が発信者名記憶装置に記憶されていれば第一の着信音を鳴音し、一時記憶装置に記憶された発信者番号が発信者名記憶装置に記憶されていなければ第二の着信音を鳴音し、
一時記憶装置に記憶された発信者番号を発信者番号記憶装置に複数記憶し、
使用者の指示が入力されると、発信者番号記憶装置に記憶された複数の発信者番号が一時記憶装置に出力され、一時記憶装置に記憶された発信者番号が発信者名記憶装置に記憶されていれば当該発信者番号に対応する名前を表示器に表示し、対応する名前が記憶されていなければ当該発信者番号を表示器に表示し、
使用者により当該表示された複数の名前又は発信者番号の中から発呼する相手が選択されて、発呼指示が為されると、選択された名前に対応する発信者番号又は選択された発信者番号を用いて発呼することを特徴とする無線端末の送受信方法。
【請求項２】
予め発信者番号と当該発信者番号に対応する名前とを複数記憶しておく発信者名記憶装置と、
発信者番号又は名前を表示可能な表示手段と、
発信者番号を受信する受信手段と、
受信手段で受信された発信者番号を一時的に記憶する一時記憶装置と、
一時記憶装置で記憶された発信者番号が発信者名記憶装置に記憶されていれば、第一の着信音を鳴音でき、一時記憶装置で記憶された発信者番号が発信者名記憶装置に記憶されていなければ、第二の着信音を鳴音できる着信音発生手段と、
指示を入力する入力手段と、
一時記憶装置に記憶された発信者番号を複数記憶可能な発信者番号記憶装置と、
入力手段からの指示により発信者番号記憶装置に記憶された複数の発信者番号が一時記憶装置に出力し、一時記憶装置に記憶された発信者番号が発信者名記憶装置に記憶されていれば当該発信者番号に対応する名前を表示手段に出力し、対応する名前が記憶されていなければ当該発信者番号を表示手段に出力する選択手段と、
入力手段により、表示手段に表示されている複数の名前又は発信者番号の中から発呼する相手が選択され、発呼の指示が入力されると、選択された名前に対応する発信者番号又は選択された発信者番号を用いて発呼する送信手段とを有することにより、
発信者番号記憶装置に記憶された発信者番号が一時記憶装置に記憶され、当該発信者番号に対応する名前又は発信者番号の表示が為され、発呼出来ることを特徴とする無線端末。